(57)【要約】【課題】シート状又は板状の透過性体にコンテンツが表されたコンテンツ表示部材を有するコンテンツ表示体、そのコンテンツ表示体を含むコンテンツ表示体キット、およびそのコンテンツ表示体を備えたコンテンツ飾り体に関し、光を用いて趣を向上させる。【解決手段】シート状又は板状の透過性体１００にコンテンツが表されたコンテンツ表示部材１０と、コンテンツ表示部材１０の裏側からコンテンツ表示部材１０を覆うように設けられた光拡散部材３０とを有する。【選択図】        図１
0003194268.tif 000002
【実用新案登録請求の範囲】
【請求項１】
シート状又は板状の透過性体にコンテンツが表されたコンテンツ表示部材と、
前記コンテンツ表示部材の裏側から該コンテンツ表示部材を覆うように設けられた光拡散部材とを有することを特徴とするコンテンツ表示体。
【請求項２】
窓部を有し、前記コンテンツが該窓部内に位置するように前記コンテンツ表示部材が取り付けられたベース部材を有することを特徴とする請求項１記載のコンテンツ表示体。
【請求項３】
請求項１記載のコンテンツ表示体に、該コンテンツ表示体が有する前記光拡散部材の透過率と同じ又は異なる透過率の光拡散部材を一つ以上付属させたことを特徴とするコンテンツ表示体キット。
【請求項４】
請求項１記載のコンテンツ表示体と、
枠部材と、
前記枠部材を立った状態に裏側から支持するスタンド部材とを備え、
前記コンテンツ表示体が、前記枠部材に収められたものであり、
前記スタンド部材が、透過性を有するものであることを特徴とするコンテンツ飾り体。
【請求項５】
請求項２記載のコンテンツ表示体と、
枠部材と、
前記枠部材を立った状態に裏側から支持するスタンド部材と、
維持部材とを備え、
前記コンテンツ表示体が、前記枠部材のおもて側における内周縁よりも内側に前記コンテンツ表示部材が位置するように該枠部材の裏側から該枠部材に収められたものであり、
前記維持部材は、前記枠部材の裏側に設けられ、前記コンテンツ表示体が前記枠部材に収まった状態を維持させるものであって、先端が、前記内周縁よりも内側であって前記コンテンツ表示部材よりも外側となる領域まで突出するものであり、
前記ベース部材が不透明なものであることを特徴とするコンテンツ飾り体。
【考案の詳細な説明】
【技術分野】
【０００１】
本考案は、シート状又は板状の透過性体にコンテンツが表されたコンテンツ表示部材を有するコンテンツ表示体、そのコンテンツ表示体を含むコンテンツ表示体キット、およびそのコンテンツ表示体を備えたコンテンツ飾り体に関する。
【背景技術】
【０００２】
昨今、印刷技術等の発達により、様々な種類の上記コンテンツ表示部材が登場してきている（例えば、特許文献１等参照）。
【０００３】
このコンテンツ表示部材に、裏側から光を照射させると、透過性体であることから、光がコンテンツ表示部材を通過し、おもて側から見ると、コンテンツに立体感等が与えられ、趣きが向上する。
【先行技術文献】
【特許文献】
【０００４】
【特許文献１】登録実用新案第３００４８７６号公報
【考案の概要】
【考案が解決しようとする課題】
【０００５】
しかしながら、透過性体であることから、裏側の背景がおもて側から見えてしまったり、あるいは専用の光源を用いた場合にはその光源自体がおもて側からはっきりと見えてしまい、趣がかえって台無しになることがある。
【０００６】
本考案は上記事情に鑑み、光を用いて趣を向上させることができる工夫がなされたコンテンツ表示体、そのコンテンツ表示体を含むコンテンツ表示体キット、およびそのコンテンツ表示体を備えたコンテンツ飾り体を提供することを目的とする。
【課題を解決するための手段】
【０００７】
上記目的を達成するための本考案のコンテンツ表示体は、シート状又は板状の透過性体にコンテンツが表されたコンテンツ表示部材と、前記コンテンツ表示部材の裏側から該コンテンツ表示部材を覆うように設けられた光拡散部材とを有することを特徴とする。
【０００８】
本考案のコンテンツ表示体によれば、前記光拡散部材によって、前記コンテンツ表示部材の裏側からの光は拡散され、その裏側の背景がおもて側から見えてしまったり、あるいは専用の光源を用いた場合であってもその光源自体がおもて側からはっきりと見えてしまうことを防止することができる。その結果、光を用いて趣を向上させることができる。
【０００９】
なお、前記コンテンツ表示部材は、おもて面におもて向きにコンテンツが表されたものであっても、裏面におもて向きにコンテンツが表されたものであってもよい。また、前記コンテンツとは、画像、文字、記号、写真等であってもよい。さらに、前記コンテンツは総てが透過するように表されたものであってもよいし、一部のみが透過するように表されたものであってもよい。また、前記コンテンツ表示部材は、前記光拡散部材によって全部ではなく一部のみが覆われたものであってもよい。
【００１０】
また、本考案のコンテンツ表示体において、窓部を有し、前記コンテンツが該窓部内に位置するように前記コンテンツ表示部材が取り付けられたベース部材を有する態様であってもよい。
【００１１】
前記ベース部材が、前記透過性体より強度を有するものであれば、該ベース部材は前記コンテンツ表示部材を支持するものとして機能する。
【００１２】
なお、前記光拡散部材は、前記ベース部材に設けられたものであってもよいし、前記ベース部材とは別に設けられたものであってもよい。また、前記光拡散部材が、前記コンテンツ表示部材よりも薄いものであってもよく、反対に厚いものであってもよい。また、前記光拡散部材が、前記コンテンツ表示部材と同じ厚さのものであってもよい。さらに、前記光拡散部材は、透過率が前記透過性体よりも低く前記ベース部材よりも高いものであってもよい。
【００１３】
また、前記光拡散部材が、前記コンテンツ表示部材よりも大きなものであってもよい。
【００１４】
こうすることで、前記コンテンツ表示部材が、前記光拡散部材によって全部が覆われ、裏側の背景や、専用の光源自体がおもて側から見えてしまうことを、より確実に防止することができる。また、裏側から入射してくる光が、コンテンツの全面に均等に拡がり自然な効果的なコンテンツとして表される。
【００１５】
上記目的を達成するための本考案のコンテンツ表示体キットは、上記本考案のコンテンツ表示体に、該コンテンツ表示体が有する前記光拡散部材の透過率と同じ又は異なる透過率の光拡散部材を一つ以上付属させたことを特徴とする。
【００１６】
本考案のコンテンツ表示体キットによれば、光拡散部材を取り替えたり、光拡散部材の枚数を変更することで、透過率が変わり、コンテンツに与える立体感や艶やかさ渋さ等を好みに応じて変更することができる。
【００１７】
上記目的を達成するための本考案のコンテンツ飾り体は、上記本考案のコンテンツ表示体と、枠部材と、前記枠部材を立った状態に裏側から支持するスタンド部材とを備え、前記コンテンツ表示体が、前記枠部材に収められたものであり、前記スタンド部材が、透過性を有するものであることを特徴とする。
【００１８】
本考案のコンテンツ飾り体によれば、前記枠部材によって、上記本考案のコンテンツ表示体がよりしっかりと支持される。また、前記枠部材のデザインによって、豪華さを与えることができたり、コンテンツ表示体の趣きに合った装飾的効果を与えることができる。さらに、前記スタンド部材が透過性を有するものであることにより、該スタント部材が、裏側から照射される光を遮ってしまうことを避けることができ、コンテンツ表示部材に均一に光を与えることができる。
【００１９】
なお、ここにいう「立った状態」とは、例えば、載置面に対して、垂直な状態であってもよいし傾斜した状態であってもよい。また、前記枠部材は、前記コンテンツ表示体が嵌め込まれたものであってもよい。また、前記スタンド部材は、前記枠部材に設けられたものであってもよいし、本考案のコンテンツ表示体における光拡散部材に設けられたものであってもよい。さらに、前記スタンド部材が、無色透明なものであってもよく、有色透明なものであってもよく、半透明なものであってもよい。
【００２０】
また、上記ベース部材を有する態様のコンテンツ表示体と、枠部材と、前記枠部材を立った状態に裏側から支持するスタンド部材と、維持部材とを備え、前記コンテンツ表示体が、前記枠部材のおもて側における内周縁よりも内側に前記コンテンツ表示部材が位置するように該枠部材の裏側から該枠部材に収められたものであり、前記維持部材は、前記枠部材の裏側に設けられ、前記コンテンツ表示体が前記枠部材に収まった状態を維持させるものであって、先端が、前記内周縁よりも内側であって前記コンテンツ表示部材よりも外側となる領域まで突出するものであり、前記ベース部材が不透明なものであることを特徴とするコンテンツ飾り体であってもよい。
【００２１】
このコンテンツ飾り体によれば、前記維持部材が、裏側から照射される光を遮ってしまっても、該維持部材よりもおもて側にある前記ベース部材が不透明なものであることにより視覚的な影響はなく、反対に、前記コンテンツ表示体が前記枠部材に収まった状態を、該維持部材によって確実に維持させることができる。
【００２２】
なお、前記スタンド部材は、前記ベース部材に設けられたものであってもよい。
【考案の効果】
【００２３】
本考案によれば、光を用いて趣を向上させることができる工夫がなされたコンテンツ表示体、そのコンテンツ表示体を含むコンテンツ表示体キット、およびそのコンテンツ表示体を備えたコンテンツ飾り体を提供することができる。
【図面の簡単な説明】
【００２４】
【図１】本考案の一実施形態であるコンテンツ表示体を示す図である。
【図２】本考案の一実施形態であるコンテンツ表示体キットを示す図である。
【図３】本考案の一実施形態であるコンテンツ飾り体を示す図である。
【図４】（ａ）は、図３（ａ）に示すＡ−Ａ’断面を示す図であり、（ｂ）は、（ａ）に示すコンテンツ飾り体の変形例を示す図である。
【考案を実施するための形態】
【００２５】
以下図面を参照して、本考案の実施形態を説明する。
【００２６】
図１は、本考案の一実施形態であるコンテンツ表示体を示す図である。この図１の左側に示す（ａ）は、コンテンツ表示体をおもて側から見た図であり、右側に示す（ｂ）は、コンテンツ表示体を裏側から見た図である。
【００２７】
本実施形態のコンテンツ表示体１は、コンテンツ表示部材１０と、ベース部材２０と、光拡散部材３０を有する。
【００２８】
図１に示すコンテンツ表示部材１０は、透過性フィルム１００のおもて面におもて向きに、天使や雲の画像のコンテンツが透過するように表されたものである。透過性フィルム１００は、厚さ１ｍｍ未満の透明な樹脂製フィルムである。すなわち、透過性フィルム１００は、シート状の透過性体の一例に相当する。なお、透過性体は、厚さ１ｍｍを越える板状のものであってもよい。コンテンツは、オフセット印刷によって表されたものであるが、オフセット印刷に限らず、様々な印刷方法によって表されてもよく、あるいは印刷に限らず手書きやエアブラシ等によって表されてもよい。さらに、コンテンツは、透過性フィルム１００の裏面におもて向きに表されたものであってもよい。また、コンテンツは、画像に限らず、文字、記号、写真等であってもよい。また、図１に示すコンテンツ表示部材１０では、コンテンツ総てが透過するように表されたものであるが、一部のみが透過するように表されたものであってもよい。また、部分的にニスを塗って、透明部分を意図的に作成してもよい。こうすることで、明暗がさらにはっきりし、立体感及び存在感がより引き出される。
【００２９】
図１に示すベース部材２０は、窓部２１が設けられた白い厚紙である。したがって、不透明な部材である。コンテンツ表示部材１０の大きさは、窓部２１の大きさよりも大きく、図１（ａ）に示すように、ベース部材２０には、コンテンツ表示部材１０に表されたコンテンツが窓部２１内に位置するように、そのコンテンツ表示部材１０が取り付けられている。なお、コンテンツ表示部材１０の大きさは、窓部２１の大きさと同じであってもよいし、場合によっては、小さくてもよい。図１では、同図（ｂ）に示すように、コンテンツ表示部材１０の上縁部分と下縁部分それぞれが、剥離自在なテープ１９によってベース部材２０の裏面２０ｒに貼り付けられている。すなわち、コンテンツ表示部材１０は、ベース部材２０に取り外し自在に取り付けられている。なお、ベース部材２０への、コンテンツ表示部材１０の取り付け方法は、テープによる接着に限らず、また、取り付け箇所も、上下の２点に限らず、左右の２点であったり、四隅であってもよい。ベース部材２０は、透過性フィルム１００よりも強度が高く、コンテンツ表示部材１０を支持するものであり、ある程度の強度があることから、立て掛けること等も可能である。したがって、図１に示すコンテンツ表示体１は、それ単独でも飾ることが可能である。図１に示すコンテンツ表示体１は、例えば、窓際の光が差し込む場所や、電球や発光ダイオードといった光源の手前に飾られる。なお、ベース部材２０は、厚紙に限ったものではなく、樹脂製の板等であってもよいが、透過性フィルム１００よりも強度が高いものであることが好ましい。
【００３０】
図１に示す光拡散部材３０は、透過性のある乳白色のフィルムである。この光拡散部材３０の大きさは、コンテンツ表示部材１０の大きさよりも大きく、図１（ｂ）に示すように、光拡散部材３０は、コンテンツ表示部材１０の裏側からコンテンツ表示部材１０全体を覆うように、ベース部材２０に取り付けられている。なお、光拡散部材３０の大きさは、コンテンツ表示部材１０の大きさと同じであってもよいし、場合によっては、小さくてもよい。すなわち、コンテンツ表示部材１０は、光拡散部材３０によって全部ではなく一部のみが覆われたものであってもよい。また、光拡散部材３０は、透過性フィルム１００と同程度の厚みのものであってもよいし、透過性フィルム１００よりも薄いものであってもよいし、透過性フィルム１００よりも厚いものであってもよい。図１では、同図（ｂ）に示すように、光拡散部材３０の上縁部分と下縁部分それぞれが、剥離自在なテープ３９によってベース部材２０の裏面２０ｒに貼り付けられている。すなわち、光拡散部材３０も、コンテンツ表示部材１０と同じく、ベース部材２０に取り外し自在に取り付けられている。なお、ベース部材２０への、光拡散部材３０の取り付け方法も、テープによる接着に限らず、また、取り付け箇所も、上下の２点に限らず、左右の２点であったり、四隅であってもよい。裏側から入射してくる光は、この光拡散部材３０を通過する際に四方八方に拡散される。その結果、コンテンツ表示部材１０の裏側の背景がおもて側から見えてしまったり、あるいは専用の光源を用いた場合であってもその光源自体がおもて側からはっきりと見えてしまうことを防止することができる。また、図１に示すコンテンツ表示体１０では、裏側から入射してくる光が、コンテンツの全面に均等に拡がり自然な効果的な画像として表される。これらのことから、図１に示すコンテンツ表示体１０によれば、光を用いて趣を向上させることができる。なお、光拡散部材３０は、紙製のもの（例えば、パラフィン紙）であってもよく、樹脂製のもの（例えば、ポリ塩化ビニルのフィルムや板、あるいはアクリル板）であってもよい。また、光拡散部材３０は、透過率が透過性フィルム１００といった透過性体よりも低くベース部材２０よりも高いものであってもよい。
【００３１】
図２は、本考案の一実施形態であるコンテンツ表示体キットを示す図である。
【００３２】
図２には、図１に示すコンテンツ表示体１の他に、２枚の光拡散部材３１，３２が示されている。コンテンツ表示体キット４では、コンテンツ表示体１に、そのコンテンツ表示体１が有する光拡散部材とは別の、単独の光拡散部材が一つ以上付属する。付属する光拡散部材３１，３２は、コンテンツ表示体１の光拡散部材３０と同じものであってもよいし、異なるものであってもよい。すなわち、光の透過率が同じものを付属させてもよいし、異なるものを付属させてよい。コンテンツ表示体キット４では、光拡散部材を取り替えたり、光拡散部材の枚数を枚数を変更することで、透過率が変わり、コンテンツに与える立体感や艶やかさ渋さ（明暗）を好みに応じて変更することができる。なお、図２に示す、付属する光拡散部材３１，３２は、透過性フィルム１００よりも薄いものである。
【００３３】
図３は、本考案の一実施形態であるコンテンツ飾り体を示す図である。この図３の左側に示す（ａ）は、コンテンツ飾り体をおもて側から見た図であり、右側に示す（ｂ）は、コンテンツ飾り体を裏側から見た図である。
【００３４】
本実施形態のコンテンツ飾り体５は、例えば、窓際の光が差し込む場所や、電球や発光ダイオードといった光源の手前に飾られるものであって、図１に示すコンテンツ表示体１と、枠部材５０と、透明カバー部材６０と、止め金具７０と、スタンド部材８０と、背板９０を備える。
【００３５】
図３に示す枠部材５０は、おもて側フレーム部５１と、裏側収納部５２を有する。おもて側フレーム部５１は矩形状であり、意匠的効果を施すものである。すなわち、おもて側フレーム部５１のデザインによって、豪華さを与えることができたり、コンテンツ表示体１の趣きに合った装飾的効果を与えることができる。図３では、枠部材５０の最もおもて側には、ガラス製あるいは樹脂製の透明カバー部材６０が収められ、その後ろにコンテンツ表示体１が収められている。より詳細に説明すれば、コンテンツ表示体１は、このおもて側フレーム部５１の内周縁５１１よりも内側にコンテンツ表示部材１０が位置するように、枠部材５０の裏側から、光拡散部材３０が設けられた側とは反対側の面をおもて面にして、枠部材５０に収められている。図３に示す枠部材５０の材質は、木製、樹脂製あるいは金属製であって、ベース部材２０の材質よりも強度が高い。なお、枠部材５０の材質は、紙製等であってもよい。コンテンツ表示体１は、枠部材５０によって、よりしっかりと支持される。
【００３６】
図４（ａ）は、図３（ａ）に示すＡ−Ａ’断面を示す図である。この図４では、図の左側がおもて側になり、右側が裏側になる。
【００３７】
コンテンツ表示体１の外周縁部、言い換えればベース部材２０の外周縁部は、内周縁５１１よりも外方に向けて窪んだ裏側収納部５２に裏側から嵌め込まれ、さらにその後ろには背板９０が当てられている。背板９０の外周縁部も、裏側収納部５２に裏側から嵌め込まれている。この背板９０は、ベース部材２０と同じ構造のものであり、図３に示すように、中央には窓部９１が設けられている。この窓部９１は、コンテンツ表示部材１０に表されたコンテンツのちょうど裏側に位置し、裏側からの光は、この窓部９１を通って光拡散部材３０に当たる。コンテンツ表示体１は、透明カバー部材６０と背板９０に挟まれた状態で、枠部材５０内に位置している。止め金具７０は、枠部材５０の裏面の８箇所に回動自在に設けられたものであり、コンテンツ表示体１が枠部材５０から外れないように、背板９０を止めている。すなわち、止め金具７０は、コンテンツ表示体１が枠部材５０に収まった状態を維持させる維持部材の一例に相当する。
【００３８】
背板９０の、窓部９１より上方の部分には、スタンド部材８０の一端側が取り付けられており、他端側は、裏側からおもて側にまわり込んで、おもて側フレーム部５１の下端部分に係止されている。このスタンド部材８０は、枠部材５０を立った状態に裏側から支持するものであって、背板９０の窓部９１を縦断している。しかしながら、スタンド部材８０は透明であって、光の透過性を有する。このため、スタンド部材８０が窓部９１を縦断していても、スタント部材８０が、裏側から照射される光を遮ってしまうことを避けることができ、窓部９１からは光が均一に取り込まれる。その結果、図３に示すコンテンツ飾り体５でも、コンテンツ表示部材１０に均一に光を与えることができ、光を用いて趣を向上させることができる。なお、ここにいう「立った状態」とは、例えば、出窓や机等の載置面に対して、枠部材５０が垂直な状態であってもよいし傾斜した状態であってもよい。また、スタンド部材８０は、無色透明なものであってもよく、有色透明なものであってもよく、半透明なものであってもよい。
【００３９】
図４（ｂ）は、同図（ａ）に示すコンテンツ飾り体の変形例を示す図である。
【００４０】
図４（ｂ）に示すコンテンツ飾り体５’も、コンテンツ表示体１’を備えているが、この変形例におけるコンテンツ飾り体５’が備えるコンテンツ表示体１’では、ベース部材２０が省略され、コンテンツ表示部材１０’における透過性体１００’は、フィルム状ではなく、透明カバー部材６０よりも厚い板状の部材である。また、この変形例におけるコンテンツ表示部材１０’は、図３に示すベース部材２０と同じ大きさである。すなわち、おもて側フレーム部５１の内周縁５１１よりも大きなものであり、図３に示すコンテンツ表示部材１０よりも大きなコンテンツになる。さらに、この変形例では、光拡散部材３０’も、フィルム状ではなく、図４（ｂ）に示す透過性体１００’よりも、透明カバー部材６０よりも厚い板状の部材である。すなわち、コンテンツ表示体１’は、コンテンツ表示部材１０’と、光拡散部材３０’とからなるものである。また、この変形例では、背板９０も省略されており、止め金具７０は、板状の光拡散部材３０’を止めている。図３（ｂ）では、枠部材５０におけるおもて側フレーム部５１の内周縁５１１を点線で表しているが、各止め金具７０は、先端７１が、その内周縁５１１よりも内側であってコンテンツ表示部材１０よりも外側となる領域まで突出しており、変形例でも同じである。ベース部材２０’は、この変形例でも不透明なものであるため、止め金具７０の先端７１が、おもて側から透けて見えることはない。
【００４１】
また、背板９０が省略されたことにより、スタンド部材８０の一端側は、枠部材５０の裏面における上方、あるいは板状の光拡散部材３０’における上方に取り付けられている。さらに、スタンド部材８０は、複数あってもよい。例えば、左右それぞれ別個に設けられ、それぞれが、枠部材５０を立った状態に支持するものであってもよい。
【００４２】
なお、裏側収納部５２の厚さに合わせるため、背板９０を設ける場合があってもよく、あるいは裏側にも、おもて側に設けた透明カバー部材６０を設けてもよい。
【００４３】
また、コンテンツ表示部材１０’の大きを小さくして、この変形例でもベース部材を設けてもよいが、この場合、ベース部材に光拡散部材３０’を取り付けず、光拡散部材３０’は、ベース部材とは別に設ける。
【００４４】
さらに、この変形例では、コンテンツ表示部材１０’は板状のものであったが、フィルム状のもの（例えば、１ｍｍ未満の厚さのもの）であってもよい。
【００４５】
以上説明した、図１に示すコンテンツ表示体１にしても、図２に示すコンテンツ表示体キット４にしても、図３に示すコンテンツ飾り体５や図４（ｂ）に示すコンテンツ飾り体５’にしても、光を用いて趣を向上させることができる。
【符号の説明】
【００４６】
１    コンテンツ表示体
１０    コンテンツ表示部材
１００    透過性フィルム
２０    ベース部材
２１    窓部
３０，３１，３２    光拡散部材
４    コンテンツ表示体キット
５    コンテンツ飾り体
５０    枠部材
５１１    内周縁
６０    透明カバー部材
７０    止め金具
７１    先端
８０    スタンド部材
９０    背板
【図２】
0003194268.tif 000003
【図３】
0003194268.tif 000004
【図４】
0003194268.tif 000005
【図１】
0003194268.tif 000006